【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
−162℃の液化ＬＮＧの気化熱を使用して、高濃度に汚染をされた汚染水の発生を減少させる目的にて、福島第一原子力発電所（以下、略して、フクイチ、又は福１とする）の核燃料が臨界に到達をして、高温状態にて暴走をしている核燃料を、液化ＬＮＧの気化熱から塩化カルシウム水溶液に、熱交換機を使用して置換をした塩化カルシウム水溶液、又はその他の冷却剤である冷媒（以下、略して、塩化カルシウム水溶液、又は冷媒とする）である塩化カルシウム水溶液などを、例えば、塩化カルシウムが３５％以下を混入した場合には、−３０℃の冷却剤としての冷媒として循環をさせることが出来る。また、塩化カルシウムが３０％以下を混入した場合には、−４０℃の冷却剤としての冷媒として循環をさせることが出来る。この塩化カルシウムを３０％混入した、塩化カルシウム水溶液を、−４０℃以下に冷却をした塩化カルシウム水溶液を使用して、核燃料が臨界に到達をして、高温状態にて暴走をしている核燃料を、１００℃未満の常温状態に冷却をするのに、−４０℃以下に冷却をした塩化カルシウム水溶液を使用して、−４０℃以下に冷却をしている塩化カルシウム水溶液を、高温状態にて暴走をしている核燃料と、直接に接触をさせ、循環させて、高温状態にて暴走をしている核燃料を、超低温状態の塩化カルシウム水溶液を使用して、１００℃未満の常温状態に核燃料を冷却する構成とすることにより、水溶液を使用することなく高温状態の核燃料を冷却することが出来ることを特徴とする核分裂を人為的に制御する方法。
【請求項２】
−162℃の液化ＬＮＧの気化熱を使用して、福島第一原子力発電所（以下、略して、フクイチ、又は福１とする）の、原子炉が破損をして、原子炉内部の核燃料が核分裂を起こし、臨界に到達をして暴走している。この暴走をしている核燃料は、3000℃前後の高温状態に上昇をしている。この核燃料を冷却する目的にて、フクイチを構成している、原子炉の周辺一帯、及び原子炉の真下の部分を、全面的に、液化LNGの気化熱を、熱交換器機を使用して、引火性がなく、凝固点が低くて、危険性が全くない、フロン、又はアンモニア、又は塩化カルシウム水溶液、又はその他の冷媒（以下、略して、フロンとする）に、液化LNGの気化熱と置換をしたフロンは、フロンの種類にもよるけれども、例えば、品名がフロン２２R（以下、略して、フロン２２R、又はフロンとする）は、−100℃以下の低温に、−162℃の液化ＬＮＧの気化熱を使用して冷却をすることが出来る。例えば、会社名  住友精密工業株式会社が製造している熱交換機を使用して、−162℃の液化LNGの気化熱を、−100℃以下のフロン２２Rに置換をして、フロン２２Rを−100℃以下の低温に効率よく冷却をすることが出来る。このー100℃以下に冷却をした、フロン２２Rを使用して、核燃料の周辺、及び原子炉の真下の部分を、間接的に、−100℃以下のフロン２２Rを使用して冷却をする。結果として、フクイチを構成している核燃料を、フクイチの外周、及び核燃料の真下の部分から、−100℃以下に冷却をしたフロン２２Rを使用して冷却をすることにより、高温状態の核燃料を、100℃未満の温度に低下させることになる。結果として、原子炉内部の内部温度を、間接的に、100℃未満の温度に冷却をすることが出来ることを特徴とする核分裂を人為的に制御する方法。
【請求項３】
−162℃の液化ＬＮＧの気化熱を使用して、福島第一原子力発電所を構成している、原子炉（A)を中心として、例えば、半径が1.5ｋｍで、地中の深さが150ｍの地中を凍結するために、液化LNGの気化熱と置換をした、冷熱のフロン、又はフロン２２R、又はアンモニア、又は塩化カルシウム水溶液（以下、略して、フロン２２Rとする）を循環させるための鋼管（Z）をコイル状に多数配管をして、−162℃のLNGの気化熱をフロン２２Rに置換させて、−100℃以下に冷却したフロン２２Rを、原子炉（A）を中心とした半径が1.5ｋｍの範囲内と、原子炉（A）の真下に位置している地中の深さが150ｍの地中を、−100℃以下に冷却したフロン２２Rを循環させるための鋼管（Z）をコイル状に多数配管している鋼管（Z）の内部を、−100℃以下に冷却したフロン２２Rを循環させて冷却することにより、原子炉（A)を中心とした半径が1.5ｋｍの範囲内と、原子炉（A）の真下に位置している地中の深さが150ｍの地中を、−100℃以下に冷却したフロン２２Rを使用して、原子炉（A)の外周の部分と、原子炉（A）の真下の地下部分を、−100℃以下に冷却したフロン２２Rを使用して、原子炉（A）の内部温度を間接的に低下させて、原子炉（A）の外周、及び原子炉（A)の真下の部分を凍結することにより、原子炉（A)の内部温度を低下させると、同時に、−162℃の液化ＬＮＧの気化熱を使用して、高濃度に汚染をされた汚染水の発生を減少させる目的にて、福島第一原子力発電所（以下、略して、フクイチ、又は福１とする）の核燃料が臨界に到達をして、高温状態にて暴走をしている核燃料を、液化ＬＮＧの気化熱から塩化カルシウム水溶液に、熱交換機を使用して置換をした塩化カルシウム水溶液、又はその他の冷却剤である冷媒（以下、略して、塩化カルシウム水溶液、又は冷媒とする）である塩化カルシウム水溶液などを、例えば、−４０℃以下に冷却をした塩化カルシウム水溶液を使用して、核燃料が臨界に到達をして、高温状態にて暴走をしている核燃料を、１００℃未満の常温状態に冷却をするのに、−４０℃以下に冷却をした塩化カルシウム水溶液を使用して、−４０℃以下に冷却をしている塩化カルシウム水溶液を、高温状態にて暴走をしている核燃料と、直接に接触をさせ、循環させて、高温状態にて暴走をしている核燃料を、超低温状態の塩化カルシウム水溶液を使用して、１００℃未満の常温状態に核燃料を冷却する構成とすることにより、水溶液を使用することなく高温状態の核燃料を冷却することが出来ることにより、原子炉（A)の内部温度を低下させて、核燃料がメルトダウン（以下、略して、炉心溶融とする）を起こして、地球の地中深く落下をして、広島型原爆の数百万倍の核燃料が、大爆発を起こすことにより、日本列島沈没、及び近隣諸外国にも膨大な被害を与えるのを阻止することが出来ることを特徴とする核分裂を人為的に制御する方法。
【請求項４】
−162℃の液化ＬＮＧの気化熱を使用して、福島第一原子力発電所を構成している、原子炉（A)を中心として、例えば、半径が1.5ｋｍで、地中の深さが150ｍの地中を凍結するために、液化LNGの気化熱と置換をした、冷熱の塩化カルシウムを３０％、又は３５％を混入した塩化カルシウム水溶液(以下、略して、塩化カルシウム、又は塩化カルシウム水溶液とする)を循環させるための鋼管（Z）をコイル状に多数配管をして、−162℃のLNGの気化熱を塩化カルシウムに置換させて、−40℃以下に冷却した塩化カルシウムを、原子炉（A）を中心とした半径が1.5ｋｍの範囲内と、原子炉（A）の真下に位置している地中の深さが150ｍの地中を、−40℃以下に冷却した塩化カルシウムを循環させるための鋼管（Z）をコイル状に多数配管している鋼管（Z）の内部を、−40℃以下に冷却した塩化カルシウムを循環させて冷却することにより、原子炉（A)を中心とした半径が1.5ｋｍの範囲内と、原子炉（A）の真下に位置している地中の深さが150ｍの地中を、−40℃以下に冷却した塩化カルシウムを使用して、原子炉（A）の外周の部分と、原子炉（A)の真下の部分を、−40℃以下に冷却した塩化カルシウムを使用して、原子炉（A）の内部温度を間接的に低下させて、原子炉（A）の外周、及び原子炉（A)の真下の部分を凍結することにより、原子炉（A)の内部温度を低下させると、同時に、−162℃の液化ＬＮＧの気化熱を使用して、高濃度に汚染をされた汚染水の発生を減少させる目的にて、福島第一原子力発電所（以下、略して、フクイチ、又は福１とする）の核燃料が臨界に到達をして、高温状態にて暴走をしている核燃料を、液化ＬＮＧの気化熱から塩化カルシウム水溶液に、熱交換機を使用して置換をした塩化カルシウム水溶液、又はその他の冷却剤である冷媒（以下、略して、塩化カルシウム水溶液、又は冷媒とする）である塩化カルシウム水溶液などを、例えば、−４０℃以下に冷却をした塩化カルシウム水溶液を使用して、核燃料が臨界に到達をして、高温状態にて暴走をしている核燃料を、１００℃未満の常温状態に冷却をするのに、−４０℃以下に冷却をした塩化カルシウム水溶液を使用して、−４０℃以下に冷却をしている塩化カルシウム水溶液を、高温状態にて暴走をしている核燃料と、直接に接触をさせ、循環させて、高温状態にて暴走をしている核燃料を、超低温状態の塩化カルシウム水溶液を使用して、１００℃未満の常温状態に核燃料を冷却する構成とすることにより、水溶液を使用することなく高温状態の核燃料を冷却することが出来ることにより、原子炉（A)の内部温度を低下させて、核燃料がメルトダウン（以下、略して、炉心溶融とする）を起こして、地球の地中深く落下をして、広島型原爆の数百万倍の核燃料が、大爆発を起こすことにより、日本列島沈没、及び近隣諸外国にも膨大な被害を与えるのを阻止することが出来ることを特徴とする核分裂を人為的に制御する方法。
【請求項５】
−162℃の液化ＬＮＧの気化熱を使用して、福島第一原子力発電所に於いて、放射能に汚染をされた汚染水、又は塩化カルシウム水溶液、又は水溶液、又は地下水（以下、略して、水溶液、又は地下水、又は汚染水、又は放射能汚染水とする）を、汚染水の状態にて、長期間、多量に汚染水を保管することが困難なので、例えば、−４０℃以下の低温にて、汚染水を凍結して氷結して氷の固まりの固形物である。例えば、長さ方向が１００ｃｍで、横巾が６０ｃｍで、高さが３５ｃｍの長方形状に製氷をして、−４０℃以下の冷凍庫の内部にて、長期間、保管をすることを特徴とする放射能に汚染をされた汚染水、又は地下水を、長期間、例えば、汚染水が含有している、６３種類の放射性物質の放射能が消滅するまでの、数１００年間、−４０℃の冷蔵庫の内部にて貯蔵をすることを特徴とする汚染水を保管する方法。
【請求項６】
−162℃の液化ＬＮＧの気化熱を使用して、福島第一原子力発電所に於いて放射能に汚染をされた汚染水が含有している、６３種類の放射性物質の核物質のうち、６２種類の核物質は活性炭、及びゼオライトなどの濾過剤を使用して除去している。けれども、残る１種類のトリチウムだけが除去することが出来ずに高濃度トリチウム水溶液として、高濃度トリチウムが、約１００万トン累積している。このトリチウムの半減期は１２年間とされている。このことから、トリチウムの放射能が消滅するのには、約２４年間が必要である。この２４年間もの長期間を、鉄で出来ている鉄製タンクの内部にて、高濃度トリチウム水溶液を保管することは不可能である。特に、放射能は鉄製タンクを劣化させるのが早い。そこで、例えば、−162℃の液化ＬＮＧの気化熱を使用して、−４０℃以下の低温にて、高濃度トリチウム水溶液を凍結して氷結して氷の固まりの固形物である。例えば、長さ方向が１００ｃｍで、横巾が６０ｃｍで、高さが３５ｃｍの長方形状に製氷をして、−４０℃以下の冷凍庫の内部にて、高濃度トリチウム水溶液が含有している放射能が消滅するまでの、約２４年間を、高濃度トリチウム水溶液を製氷して、高濃度トリチウム水溶液を長期間、保管することを特徴とする放射能に汚染をされた高濃度トリチウム水溶液を、−162℃の液化ＬＮＧの気化熱を使用して冷却をしている冷蔵庫の内部にて長期間、保管をする方法。
【請求項７】
福島第一原子力発電所を中心として、建屋の外周に地下水が建屋に流れ込むのを防止するために、総延長が１,４００ｍもの凍土壁を建設する。この凍土壁を凍結するのに、膨大な冷熱を安価に供給することが出来る、−１６２℃の液化ＬＮＧの気化熱をフロン、又はフロン２２R、又は塩化カルシウム水溶液、又はその他の冷媒と置換をした冷熱を使用して凍土壁を凍結することを特徴とする凍土壁を−１６２℃の液化ＬＮＧの気化熱を使用して凍結する方法。
【請求項８】
福島第一原子力発電所が崩壊をして原子炉内部の核分裂を制御することが出来ない場合の原子炉の冷却をする目的にて、原子力発電所を中心として、原子力発電所の外周の地中を全面的に、極く簡便に、長期間、極く安価なコストにて、福１原子力発電所の外周の地中を凍結する目的にて、福１原子力発電所から50ｋｍ程の距離にある、例えば、図7に示しているように、仙台市ガス局港工場の、液化天然ガス（以下、略して、液化LNGとする）基地、又は千葉県袖ケ浦にある東京ガス液化LNG基地（以下、略して、液化LNG基地、又はLNG基地とする）から、福１原子力発電所までパイプラインを敷設して、福１原子力発電所の外周の地中を、液化LNGの、−162℃の気化熱を使用して凍結をする。その後、気化をしたLNGガスは、別途、敷設をしているパイプラインを使用してLNG基地に送り返すことにより、液化LNGの排熱を利用して、福１原子力発電所の外周の地中を全面的に凍結すると、極く安価なコストにて、膨大な気化熱を発生させることが出来る。または、図8に示しているように、例えば、ブルネイ国から、液化LNG専用船にて輸入をした、液化LNG専用船を、福１原子力発電所の岸壁に、直接に接岸をして、福１原子力発電所の敷地の内部に設置をしている、8000トン入りの高圧タンクの内部に、液化LNG専用船から移送をした、高圧タンクの内部に貯蔵をしている、8000トンの液化LNGの気化熱から熱交換機を経由して、冷熱をフロン２２R、又は塩化カルシウム水溶液に置換をした冷熱を使用して、原子炉の周辺、及び原子炉の真下の部分を冷却することを目的にて、例えば、−４０℃以下に地中を凍結するか、又は、原子力発電所を中心として、福１原子力発電所の外周を、−４０℃以下の超低温に凍結をした凍結層（以下、略して、氷結層、又は凍結層、又は凍土壁、又は遮水壁とする）を形成して、原子炉内部にて核分裂を起こしている。例えば、３０００℃前後の、高温状態に核分裂を起こしている核燃料を冷却するために使用をしている水溶液（以下、略して、汚染水、又は放射能汚染水とする）が、福１原子力発電所の外部に流出するのを防止する目的にて、福１原子力発電所を中心として、福１原子力発電所の外周の地中を、−４０℃以下の超低温に凍結して凍土壁を形成して、放射能汚染水の流出を遮断することを特徴とする放射能汚染水が流出することを防止する方法。